(57)【要約】【課題】利用者が足先等をぶつけた際の痛みを軽減することができ、且つ布団類の縁部の汚れや損傷等を抑制することができる布団敷板装置を提供する。【解決手段】各々すのこ状に形成された敷板１１及び敷板１２と、敷板１１と敷板１２を折り曲げ可能に連結する連結部材１７と、敷板１１に回動自在に取り付けられて、布団敷板装置１０が逆Ｖ字状に立てられた状態において敷板１２に係合して敷板１１及び敷板１２を支える支持体２０と、を備え、敷板１１及び敷板１２は、長手方向に延在する複数の縦材１３、１４と、縦材１３、１４の上に取り付けられて短手方向に延在する複数の横板１５と、を有し、布団敷板装置１０の縁部に配設された縦材１４の上面には、外側に向かって下降傾斜する傾斜部１４ａが形成されている。これにより、足先等をぶつけた際の痛みを軽減すると共に、布団類の縁部の汚れや損傷等を抑制することができる。【選択図】図３
2019037711.tif 000002
【特許請求の範囲】
【請求項１】
敷き布団類の下に敷かれて前記敷き布団類を支える布団敷板装置であって、
各々すのこ状に形成された第１の敷板及び第２の敷板と、
前記第１の敷板と前記第２の敷板を折り曲げ可能に連結する連結部材と、
前記第１の敷板に回動自在に取り付けられて、前記連結部材が折り曲げられて前記布団敷板装置が逆Ｖ字状に立てられた状態において前記第２の敷板に係合して前記第１の敷板及び前記第２の敷板を支える支持体と、を備え、
前記第１の敷板及び前記第２の敷板は、前記布団敷板装置の長手方向に延在する複数の縦材と、前記縦材の上に取り付けられて前記布団敷板装置の短手方向に延在する複数の横板と、を有し、
前記布団敷板装置の縁部に配設された前記縦材の上面には、外側に向かって下降傾斜する傾斜部が形成されていることを特徴とする布団敷板装置。
【請求項２】
前記横板の端面は、前記傾斜部よりも前記布団敷板装置の中心側に位置することを特徴とする請求項１に記載の布団敷板装置。
【請求項３】
前記支持体は、前記縦材に対してそれぞれ回動自在に軸支されて前記縦材に沿って配置される一対の縦材と、該縦材の上に取り付けられて前記布団敷板装置が平らになった状態において前記第１の敷板の前記横板と共に前記第１の敷板の上面を構成する横板と、前記支持体を構成する前記縦材の先端部に取り付けられて前記布団敷板装置が逆Ｖ字状に立てられた状態において前記第２の敷板に係合する係止部材と、を有し、
前記係止部材は、前記第１の敷板の前記横板よりも幅が狭く、前記布団敷板装置が平らになった状態において前記第１の敷板の上面と面一になって前記第１の敷板の上面の一部を構成することを特徴とする請求項１または請求項２に記載の布団敷板装置。
【請求項４】
前記支持体を構成する前記縦材には、前記布団敷板装置が逆Ｖ字状に立てられた状態において前記第２の敷板が載置される凹部が形成されていることを特徴とする請求項３に記載の布団敷板装置。
【発明の詳細な説明】
【技術分野】
【０００１】
本発明は、敷き布団類の下に敷いて利用される布団敷板装置に関し、特に、すのこ状の敷板を起立させて布団類干し等として利用することができる布団敷板装置に関する。
【背景技術】
【０００２】
従来、この種の布団敷板装置として、例えば、特許文献１に開示された「ふとん干し機能付きふとん敷き板装置」が知られている。図１０は、特許文献１に開示された布団敷板装置１１１の起立した状態を示す斜視図であり、図１１は、Ｄ矢視図である。図１０及び図１１に示すように、同文献に開示された布団敷板装置１１０は、桟１１５と桁１１３によってすのこ状に形成された２つの構成部材１１１、１１２を有し、２つの構成部材１１１、１１２は、それぞれの一辺にてヒンジ部１１７により開閉可能に結合されている。
【０００３】
そして、一方の構成部材１１１には、布団敷板装置１１０を布団干しとして使用するため逆Ｖ字状に立てたときに、２つの構成部材１１１、１１２を支えるものとなる支持体１２０が設けられている。支持体１２０は、布団敷板装置１１０が布団類の下に敷かれる敷板として利用されるときには、構成部材１１１の一部となって敷板が支えるべき荷重を負担するものとなる。
【０００４】
詳しくは、支持体１２０は、構成部材１１１とは別に設けられた桟１２２と桁１２１を有し、一方の構成部材１１１の外方の端部にヒンジ結合されて回転可能となっている。図１０に示すように、一方の構成部材１１１では、支持体１２０が畳まれた状態において支持体１２０の桟１２２と重なる箇所に桟１１５が設けられておらず、当該箇所は、支持体１２０の桟１２２が収められる空所１１６となっている。
【０００５】
図１１に示すように、２つの構成部材１１１、１１２がヒンジ部１１７で折り曲げられて逆Ｖ字状に立てられる際、他方の構成部材１１２の外方の端部は、一方の構成部材１１１から展開された支持体１２０の桟１２２と桟１２２の間に置かれる。これにより２つの構成部材１１１、１１２が所定の開き度で逆Ｖ字状に固定される。
【先行技術文献】
【特許文献】
【０００６】
【特許文献１】特開２００４−３３３６２号公報
【発明の概要】
【発明が解決しようとする課題】
【０００７】
図１２は、特許文献１に開示された布団敷板装置１１０の側部近傍の横断面図である。
図１２に示すように、従来技術の布団敷板装置では、構成部材１１１、１１２の側部において桟１１５を支える桁１１３は、横断面略矩形状に形成されており、桁１１３の側面と桟１１５の端面は、略面一に形成されていた。そのため、布団敷板装置が展開されて床等の上に敷かれた状態において、利用者が誤って布団敷板装置の縁部に足の指先等をぶつけると、大怪我をする恐れはないものの、痛い思いをすることがあった。
【０００８】
また、桁１１３の側面と桟１１５の端面が略面一に形成されていることにより、布団類の縁部が桟１１５からはみ出すと、床等に接触し易く、汚れたり破れたりする恐れがあった。布団類のはみ出しをなくすためには、桟１１５を十分長くする必要があるが、桟１１５は自然材を利用しているので、僅かに長くするだけであっても材料取りが難しくなり、生産コストが増大するという問題点がある。
【０００９】
また、前述のとおり、特許文献１に開示された布団敷板装置１１０では、２つの構成部材１１１、１１２が逆Ｖ字状に立てられる際、他方の構成部材１１２の外方の端部は、支持体１２０の桟１２２と桟１２２の間に置かれる。そのため、図１１に示すＸ部のように、支持体１２０の先端近傍は、起立した構成部材１１２よりも、桟１２２の幅に相当する分だけ外方に突出することになる。逆Ｖ字状に立てられた構成部材１１１、１１２から突出する支持体１２０の先端部分は、構成部材１１１、１１２を配置する際に邪魔になり、利用者がつまずく等の恐れもあった。
【００１０】
本発明は、上記の事情に鑑みてなされたものであり、その目的とするところは、利用者が足先等をぶつけた際の痛みを軽減することができ、且つ布団類の縁部の汚れや損傷等を抑制することができる布団敷板装置を提供することにある。
【００１１】
また、本発明の他の目的は、逆Ｖ字状に立てて布団類干しとして利用する際に、支持体の突出が小さく支持体が邪魔にならない布団敷板装置を提供することにある。
【課題を解決するための手段】
【００１２】
本発明の布団敷板装置は、敷き布団類の下に敷かれて前記敷き布団類を支える布団敷板装置であって、各々すのこ状に形成された第１の敷板及び第２の敷板と、前記第１の敷板と前記第２の敷板を折り曲げ可能に連結する連結部材と、前記第１の敷板に回動自在に取り付けられて、前記連結部材が折り曲げられて前記布団敷板装置が逆Ｖ字状に立てられた状態において前記第２の敷板に係合して前記第１の敷板及び第２の敷板を支える支持体と、を備え、前記第１の敷板及び前記第２の敷板は、前記布団敷板装置の長手方向に延在する複数の縦材と、前記縦材の上に取り付けられて前記布団敷板装置の短手方向に延在する複数の横板と、を有し、前記布団敷板装置の縁部に配設された前記縦材の上面には、外側に向かって下降傾斜する傾斜部が形成されていることを特徴とする。
【発明の効果】
【００１３】
本発明の布団敷板装置によれば、布団敷板装置の縁部に配設された縦材の上面には、外側に向かって下降傾斜する傾斜部が形成されている。これにより、布団敷板装置の縁部に利用者が足先等をぶつけた際に、足先等を斜め上方に逃がして衝突の衝撃を和らげて、利用者が感じる痛みを軽減することができる。
【００１４】
また、本発明の布団敷板装置によれは、横板の端面は、傾斜部よりも布団敷板装置の中心側にあっても良い。これにより、布団敷板装置の上に敷かれた布団類は、縁部が横板からはみ出したとしても傾斜部の上に置かれるようになるので、布団類の縁部が直接的に床面等に触れてしまうことが抑制される。よって、布団類の縁部が床面等に触れて汚れてしまうことや破れてしまうことが抑えられる。また、布団類と横板の端面との引っ掛かりも少なくなり、横板の端面による布団類の損傷も抑制することができる。また、横板の長さを短くすることができるので、横板の材料取りが容易になり、布団敷板装置の生産性を高めることができる。
【００１５】
また、本発明の布団敷板装置によれは、支持体は、第１の敷板の縦材に対してそれぞれ回動自在に軸支されて第１の敷板の縦材に沿って配置される一対の縦材と、該縦材の上に取り付けられて布団敷板装置が平らになった状態において第１の敷板の横板と共に第１の敷板の上面を構成する横板と、支持体を構成する縦材の先端部に取り付けられて布団敷板装置が逆Ｖ字状に立てられた状態において第２の敷板に係合する係止部材と、を有し、係止部材は、第１の敷板の横板よりも幅が狭く、布団敷板装置が平らになった状態において第１の敷板の上面と面一になって第１の敷板の上面の一部を構成しても良い。このように、支持体の先端部に、第２の敷板を係合する部材として、横板よりも幅が狭い係止部材が設けられることにより、布団敷板装置が逆Ｖ字状に立てられた状態において、第２の敷板の下方から突出する支持体の先端部の突出寸法を小さくすることができる。よって、布団敷板装置を布団類干しとして利用する際に、起立した布団敷板装置の下部から突出する支持体の先端部が邪魔にならない。
【００１６】
また、本発明の布団敷板装置によれは、支持体を構成する縦材には、布団敷板装置が逆Ｖ字状に立てられた状態において第２の敷板が載置される凹部が形成されている。これにより、第２の敷板の下部を布団敷板装置が設置される床面等に近づけることができ、起立した状態の布団敷板装置を安定させることができる。よって、布団敷板装置は、布団類干しとして利用される際に、布団類を安定して支えることができる。
【図面の簡単な説明】
【００１７】
【図１】本発明の実施形態に係る布団敷板装置の概略を示す平面図である。
【図２】本発明の実施形態に係る布団敷板装置の起立した状態を示す斜視図である。
【図３】本発明の実施形態に係る布団敷板装置の起立した状態を示す斜視図である。
【図４】本発明の実施形態に係る布団敷板装置の起立した状態を示すＡ矢視図である。
【図５】本発明の実施形態に係る布団敷板装置の畳まれた状態を示す側面図である。
【図６】本発明の実施形態に係る布団敷板装置の支持体の先端近傍を示す透視図である。
【図７】本発明の実施形態に係る布団敷板装置のＢ部近傍を示す透視図である。
【図８】本発明の実施形態に係る布団敷板装置の起立した状態の連結部材近傍を拡大して示す透視図である。
【図９】本発明の実施形態に係る布団敷板装置の側部近傍の横断面図である。
【図１０】従来技術の布団敷板装置の例を示す布団敷板装置が起立した状態の斜視図である。
【図１１】従来技術の布団敷板装置の例を示す布団敷板装置が起立した状態のＤ矢視図である。
【図１２】従来技術の布団敷板装置の例を示す布団敷板装置の側部近傍の横断面図である。
【発明を実施するための形態】
【００１８】
以下、本発明の実施形態に係る布団敷板装置を図面に基づき詳細に説明する。
図１は、本発明の実施形態に係る布団敷板装置１０の概略を示す平面図である。図１に示すように、布団敷板装置１０は、平面視略矩形状のすのこ状の形態をなし、上面に布団類等が敷かれて用いられるものである。
【００１９】
布団敷板装置１０は、各々すのこ状に形成された第１の敷板としての敷板１１及び第２の敷板としての敷板１２を有する。敷板１１及び敷板１２は、布団敷板装置１０の長手方向に並べて設けられ、折り曲げ可能な連結部材１７によって連結されている。
【００２０】
敷板１１及び敷板１２は、布団敷板装置１０の長手方向に延在する複数の縦材１３、１４を有する。縦材１３、１４は、床面等に載置されて布団敷板装置１０を支える部材であり、略棒状の形態をなしている。
【００２１】
縦材１３、１４の上面には、布団敷板装置１０の短手方向に延在する複数の横板１５が取り付けられている。横板１５は、略矩形板状の形態をなし、横板１５の上面は、布団類が載置される面となる。
【００２２】
布団敷板装置１０を構成する各部材の材質としては、特に限定されるものではないが、本実施形態に係る布団敷板装置１０では、木材が用いられている。布団敷板装置１０の材質として、例えば、桐材等は、軽量で湿気対策に適しており、また、檜材等は、防虫効果や芳香作用が期待できるので好ましい。
【００２３】
図２ないし図４は、布団敷板装置１０の起立した状態を示す図であり、図２は、布団敷板装置１０を敷板１１側から見た斜視図、図３は、布団敷板装置１０を敷板１２側から見た斜視図、図４は、図３に示すＡ矢視図である。
【００２４】
図２ないし図４に示すように、布団敷板装置１０は、長手方向の略中央において連結部材１７が折り曲げられることにより、略逆Ｖ字状に折り曲げられて起立する。これにより、起立した布団敷板装置１０に布団類を載せることができ、布団敷板装置１０を布団類干しとして用いることができる。
【００２５】
図５は、布団敷板装置１０の畳まれた状態を示す側面図である。図５に示すように、布団敷板装置１０は、連結部材１７において折り曲げられることにより、敷板１１及び敷板１２が重なり合うように折り畳まれる。これにより、布団敷板装置１０を小さく折り畳んで収納することができる。また、布団敷板装置１０の移動も容易になる。
【００２６】
次に、布団敷板装置１０を略逆Ｖ字状に起立させた状態で保持するための構成について詳細に説明する。
図２ないし図４に示すように、布団敷板装置１０は、敷板１１に回動自在に取り付けられている支持体２０を有する。支持体２０は、布団敷板装置１０が略逆Ｖ字状に折り曲げられた状態において、敷板１１に対して回動して、床面等に載置される。
【００２７】
そして、図３及び図４に示す如く、敷板１２の横板１５が支持体２０の先端部近傍の上部に置かれて後述する係止部材２４に係合することにより、支持体２０は、敷板１１及び敷板１２を支えて、布団敷板装置１０を起立させた状態で支持することができる。
【００２８】
支持体２０は、図１に示す如く布団敷板装置１０が展開された状態において布団敷板装置１０の長手方向に延在する一対の縦材２１を有する。縦材２１は、敷板１１の中央側に設けられる一対の縦材１３に沿ってそれぞれ設けられ、縦材１３に対して回動自在に軸支されている。
【００２９】
一対の縦材２１の上部には、布団敷板装置１０の短手方向に延在する横板２２、２３が取り付けられている。横板２２、２３は、略矩形板状に形成されており、横板２２、２３の幅は、敷板１１に取り付けられる横板１５の幅と略同じである。
【００３０】
図６は、支持体２０の先端近傍を示す透視図である。図６に示すように、一対の縦材２１の先端部には、布団敷板装置１０の短手方向に延在する係止部材２４が取り付けられている。係止部材２４は、略四角柱状の形態をなし、一対の縦材２１を連結するように、一対の縦材２１の先端面に固定されている。
【００３１】
即ち、一対の縦材２１は、先端部近傍において、横板２３及び係止部材２４によって連結されて固定されており、図２に示す如く、敷板１１に支持されている端部近傍において、横板２２によって連結されて固定されている。これにより、支持体２０の剛性が高められ、支持体２０の変形等を抑制することができる。
【００３２】
図１及び図６を参照して、係止部材２４の幅は、敷板１１の横板１５の幅よりも狭く形成されている。また、図６に示すように、横板２３と係止部材２４との間の縦材２１の上面には、下方に凹む凹部２５が形成されている。
【００３３】
図７は、布団敷板装置１０を起立させた状態を示しており、図３に示すＢ部付近を拡大して示す透視図である。図７に示すように、布団敷板装置１０が起立した状態においては、敷板１２の端部近傍に設けられた横板１５は、支持体２０の先端近傍の上部に載置されて係止部材２４に係止される。これにより、支持体２０によって敷板１２が支持される。
【００３４】
このとき、図４に示すように、敷板１２の横板１５は、支持体２０の縦材２１に形成された凹部２５に載置されている。これにより、敷板１２の下部を布団敷板装置１０が設置される床面等に近づけることができ、起立した状態の布団敷板装置１０を安定させることができる。よって、布団敷板装置１０は、布団類干しとして利用される際に、布団類を安定して支えることができる。
【００３５】
また、前述のとおり係止部材２４は横板１５よりも幅狭に形成されているので、布団敷板装置１０が略逆Ｖ字状に立てられた状態において、図４のＣ部に示すように、敷板１２の下部から突出する支持体２０の先端部の突出寸法を小さくすることができる。よって、布団敷板装置１０を布団類干しとして利用する際に、起立した布団敷板装置１０の下部から突出する支持体２０の先端部が邪魔にならない。
【００３６】
また、図７に示すように、係止部材２４の両端上部の角部２４ａには、丸み付け面取りが施されている。これにより、利用者が誤って係止部材２４を踏んでしまった際や足の指先等をぶつけてしまった際の痛みを軽減することができる。
【００３７】
また、図２に示すように、敷板１１の略中央、及び支持体２０が支持されている端辺近傍には、横板１５が配設されていない空所１６が形成されている。即ち、空所１６が設けられている箇所においては、横板１５は、延在方向の略中央部において分断されており、敷板１１の両側部側に長さの短い横板１５が設けられている。
【００３８】
更に詳しくは、空所１６は、図１に示す如く布団敷板装置１０が展開された状態において、支持体２０の横板２２、２３及び係止部材２４に対応する位置に形成されている。これにより、支持体２０の横板２２、２３及び係止部材２４は、図１に示す如く布団敷板装置１０が平らに展開された状態及び図５に示す如く布団敷板装置１０が折り畳まれた状態においては、敷板１１の空所１６に収められる。
【００３９】
ここで、支持体２０の横板２２、２３及び係止部材２４は、布団敷板装置１０が展開されて平らになった状態において、敷板１１の横板１５と共に敷板１１の上面を構成する。つまり、布団敷板装置１０が平らにされた状態において、敷板１１の横板１５及び支持体２０の横板２２、２３並びに係止部材２４の上面は、略面一になり、敷板１１の布団等が敷かれる上面となる。
【００４０】
換言すれば、横板２２、２３及び係止部材２４は、支持体２０の一対の縦材２１を支持する補強部材としての機能と、布団敷板装置１０が平らに展開された状態において布団類が載置される載置面としての機能と、を併せ持つ。これにより、敷板１１を構成する部材を少なく抑えることができる。
【００４１】
なお、図４に示すように、布団敷板装置１０は、支持体２０の先端近傍と、連結部材１７の近傍と、をつなぐように掛けられた紐２６を有する。詳しくは、紐２６は、図６に示す如く、支持体２０の先端近傍において、一対の縦材２１に形成された貫通孔２７に挿通されている。また、紐２６は、図２に示す如く、敷板１１及び敷板１２の間を通り、縦材１３を連結している連結部材１７の上に掛けられている。
【００４２】
紐２６が設けられていることにより、布団敷板装置１０が略逆Ｖ字状に起立した状態から、図１に示す如く平らに展開された状態または図５に示す如く折り畳まれた状態に戻される際に、利用者は、紐２６を引いて支持体２０の先端部を容易に引き上げることができる。よって、支持体２０の収納が容易になる。
【００４３】
図８は、布団敷板装置１０を起立させた状態の連結部材１７近傍を拡大して示す透視図である。なお、以下、図８を参照して、縦材１４を連結する連結部材１７について説明するが、縦材１３（図２参照）を連結する連結部材１７についても同等の構成である。
【００４４】
図８に示すように、敷板１１及び敷板１２を連結する連結部材１７は、例えば、布等によって略帯状に形成されている。連結部材１７は、その両端部近傍が縦材１４と横板１５によって挟まれて固定されている。また、連結部材１７は、例えば、スクリュー釘等の図示しない固定具によって、縦材１４の端面に固定されている。連結部材１７が縦材１４の端面に固定されていることにより、敷板１１と敷板１２の横ずれを抑制することができる。
【００４５】
また、連結部材１７の上部には、連結部材１７を覆うようにカバー部材１８が設けられている。カバー部材１８は、連結部材１７と同様に、例えば、布等によって略帯状に形成されている。カバー部材１８が設けられることにより、連結部材１７を固定する固定具が露出することを防止できる。
【００４６】
縦材１４の端部近傍の横板１５に対向する面には、連結部材１７及びカバー部材１８を重ねた厚みに略対応する深さの凹部１９が形成されており、この凹部１９に連結部材１７及びカバー部材１８が取り付けられている。これにより、連結部材１７及びカバー部材１８を縦材１４及び横板１５で挟んで固定する構成において、布団類等が載置される面である横板１５の上面の平坦度を確保することができる。
【００４７】
図９は、布団敷板装置１０の敷板１１の側部近傍の横断面図である。図９に示すように、布団敷板装置１０の縁部に配設された縦材１４の上面には、外側に向かって下降傾斜する傾斜部１４ａが形成されている。これにより、布団敷板装置１０の縁部に利用者が足先等をぶつけた際に、足先等を斜め上方に逃がして衝突の衝撃を和らげて、利用者が感じる痛みを軽減することができる。
【００４８】
また、横板１５の端面１５ａは、縦材１４の傾斜部１４ａよりも布団敷板装置１０の中心側に設けられている。これにより、布団敷板装置１０の上に敷かれた布団類は、縁部が横板１５からはみ出したとしても傾斜部１４ａの上に置かれるようになるので、布団類の縁部が直接的に床面等に触れてしまうことが抑制される。よって、布団類の縁部が床面等に触れて汚れてしまうことや破れてしまうことが抑えられる。
【００４９】
また、横板１５の端面１５ａが縦材１４の傾斜部１４ａよりも内側に設けられていることにより、布団類と横板１５の端面１５ａとの引っ掛かりも少なくなり、横板１５の端面１５ａによる布団類の損傷も抑制することができる。また、横板１５の長さを短くすることができるので、横板１５の材料取りが容易になり、布団敷板装置１０の生産性を高めることができる。
【００５０】
ここで、傾斜部１４ａが形成されることによる上記の各効果を得るためには、傾斜部１４ａは、横板１５や縦材１４等のその他の角部に形成される通常の面取りによる傾斜形状と比べて遥かに大きく形成されている必要がある。具体的には、傾斜部１４ａの高さＨ２は、縦材１４の高さＨ１のおよそ３０〜９０％であり、好ましくは、５０〜９０％である。また、傾斜部１４ａの傾斜角度θ１は、およそ２０〜６０度であり、好ましくは、３０〜４５度である。
【００５１】
なお、本発明は、上記実施形態に限定されるものではなく、その他、本発明の要旨を逸脱しない範囲で、種々の変更実施が可能である。
【符号の説明】
【００５２】
１０    布団敷板装置
１１    敷板
１２    敷板
１３、１４      縦材
１４ａ  傾斜部
１５、  横板
１６    空所
１７    連結部材
１８    カバー部材
２０    支持体
２１    縦材
２２、２３      横板
２４    係止部材
２５    凹部
【図１】
2019037711.tif 000003
【図２】
2019037711.tif 000004
【図３】
2019037711.tif 000005
【図４】
2019037711.tif 000006
【図５】
2019037711.tif 000007
【図６】
2019037711.tif 000008
【図７】
2019037711.tif 000009
【図８】
2019037711.tif 000010
【図９】
2019037711.tif 000011
【図１０】
2019037711.tif 000012
【図１１】
2019037711.tif 000013
【図１２】
2019037711.tif 000014